(57)【要約】【課題】報告信号を利用し、上りリンク無線リソースを移動局に一層効率良く割り当てる。【解決手段】無線基地局装置における無線リソース割り当て方法は、移動局の送信バッファにおけるデータ滞留量を通知するための報告信号を受信したとき、前記受信した報告信号に基づいて、管理対象のデータ滞留量を更新し；前記更新したデータ滞留量と前記移動局に割り当て予定の上りリンク送信のための無線リソース量とに基づいて次回以降のデータ滞留量を推定し；前記推定したデータ滞留量に基づいて前記移動局からの上りリンク送信を行うために割り当てるための無線リソース量を決定して通知する。【選択図】図６
2011239284.tif 000002
【特許請求の範囲】
【請求項１】
無線基地局装置における無線リソース割り当て方法であって；
移動局の送信バッファにおけるデータ滞留量を通知するための報告信号を受信したとき、前記受信した報告信号に基づいて、管理対象のデータ滞留量を更新し；
前記更新したデータ滞留量と前記移動局に割り当て予定の上りリンク送信のための無線リソース量とに基づいて次回以降のデータ滞留量を推定し；
前記推定したデータ滞留量に基づいて前記移動局からの上りリンク送信を行うために割り当てるための無線リソース量を決定して通知する；
無線リソース割り当て方法。
【請求項２】
前記推定したデータ滞留量がゼロであると判定したとき、前記移動局に対する無線リソース量の割り当てを停止する
請求項１記載の無線リソース割り当て方法。
【請求項３】
前記移動局に対する無線リソース量の割り当てを停止した後、前記報告信号とユーザデータとの多重送信が不可能であると判定したときは、前記報告信号が多重送信可能となるように、割り当てる無線リソース量を補正して通知する
請求項２記載の無線リソース割り当て方法。
【請求項４】
前記通知した補正後の無線リソース量において、前記報告信号を受信しないときは、疑似的なデータ滞留量を算出し、前記移動局に対する無線リソース量の割り当て処理を継続する
請求項３記載の無線リソース割り当て方法。
【請求項５】
上りリンク無線リソースの割り当てを行う無線基地局装置であって；
移動局の送信バッファにおけるデータ滞留量を通知するための報告信号を受信したとき、前記受信した報告信号に基づいて、管理対象のデータ滞留量を更新し；
前記更新したデータ滞留量と前記移動局に割り当て予定の上りリンク送信のための無線リソース量とに基づいて次回以降のデータ滞留量を推定し；
前記推定したデータ滞留量に基づいて前記移動局からの上りリンク送信を行うために割り当てるための無線リソース量を決定して通知する；
スケジューラを備える無線基地局装置。
【発明の詳細な説明】
【技術分野】
【０００１】
本発明は、上りリンク無線リソース割り当て機能を含む移動無線通信システムに関する。
【背景技術】
【０００２】
現在、次世代移動無線通信技術としてのＬＴＥ（Long Term Evolution）の標準化が３
ＧＰＰ（3rd Generation Partnership Project）で検討されている。この検討においては、周波数利用効率の向上を図るための各種技術が議論されている。
【０００３】
周波数利用効率を向上するためには、無線基地局装置及び移動局間のデータ通信に使用される上りリンク無線リソース、すなわち周波数と時間とで表すことができるリソースを配下の多数の移動局に効率良く割り当てる制御（スケジューリング）が、無線基地局装置においては不可欠である。
【０００４】
このための一手法として、移動局は送信バッファに格納されているデータについての滞留量を無線基地局装置に通知し、無線基地局装置はこのデータ滞留量に応じて移動局に割り当てる上りリンク無線リソース量を決定する手法がある。この手法においては、移動局の送信バッファのデータ滞留量を通知するために、バッファ状態報告信号（Buffer Status Report）が利用される。
【０００５】
特許文献には、バッファ状態報告信号に基づいて、上りリンク無線リソースの割り当てをスケジューリングする移動無線通信システムを提案するものがある。
【先行技術文献】
【特許文献】
【０００６】
【特許文献１】特開２００９−４９５８０号公報
【非特許文献】
【０００７】
【非特許文献１】３ＧＰＰ  ＴＳ３６．２１１:3rd Generation Partnership Project Technical Specification Group Radio Access Network Evolved Universal Terrestrial Radio Access (E-UTRA) Physical Channels and Modulation
【非特許文献２】３ＧＰＰ  ＴＳ３６．２１２：3rd Generation Partnership Project Technical Specification Group Radio Access Network Evolved Universal Terrestrial Radio Access (E-UTRA) Multiplexing and channel coding
【非特許文献３】３ＧＰＰ  ＴＳ３６．２１３：3rd Generation Partnership Project Technical Specification Group Radio Access Network Evolved Universal Terrestrial Radio Access (E-UTRA) Physical layer procedures
【非特許文献４】３ＧＰＰ  ＴＳ３６．３２１：3rd Generation Partnership Project Technical Specification Group Radio Access Network Evolved Universal Terrestrial Radio Access (E-UTRA) Medium Access Control (MAC) protocol specification
【発明の概要】
【発明が解決しようとする課題】
【０００８】
課題は、移動局の送信バッファにおけるデータ滞留量を通知するための報告信号を利用し、上りリンク無線リソースを移動局に一層効率良く割り当てることを可能にする技術を提供することにある。
【課題を解決するための手段】
【０００９】
上記課題を解決するために、無線基地局装置における無線リソース割り当て方法は、移動局の送信バッファにおけるデータ滞留量を通知するための報告信号を受信したとき、前記受信した報告信号に基づいて、管理対象のデータ滞留量を更新し；前記更新したデータ滞留量と前記移動局に割り当て予定の上りリンク送信のための無線リソース量とに基づいて次回以降のデータ滞留量を推定し；前記推定したデータ滞留量に基づいて前記移動局からの上りリンク送信を行うために割り当てるための無線リソース量を決定して通知する。
【発明の効果】
【００１０】
開示した方法によれば、上りリンク無線リソースを移動局に一層効率良く割り当てることができる。
【００１１】
他の課題、特徴及び利点は、図面及び特許請求の範囲とともに取り上げられる際に、以下に記載される発明を実施するための形態を読むことにより明らかになるであろう。
【図面の簡単な説明】
【００１２】
【図１】一実施の形態の移動無線通信システムの構成を示すブロック図。
【図２】一実施の形態の移動無線通信システムに適用することができる無線基地局装置の構成を示すブロック図。
【図３】一実施の形態の移動無線通信システムにおける無線リソースを説明するための図。
【図４】一実施の形態の移動無線通信システムに適用することができる移動局の構成を示すブロック図。
【図５】スケジューリング要求信号をトリガとした場合の無線基地局装置と移動局との間の処理シーケンスを示す。
【図６】移動局に割り当てるべき上りリンク無線リソース量を決定する際の処理フローチャートを示す。
【図７】移動局に割り当てるべき上りリンク無線リソース量の概念を示す。
【図８】図６中の処理１０４から処理１０７を通過して処理１０８で通知したＰＤＣＣＨに対するＰＵＳＣＨの受信タイミングにおける処理フローチャートを示す。
【発明を実施するための形態】
【００１３】
以下、添付図面を参照して、さらに詳細に説明する。図面には好ましい実施形態が示されている。しかし、多くの異なる形態で実施されることが可能であり、本明細書に記載される実施形態に限定されると解釈されてはならない。
【００１４】
［移動無線通信システム］
一実施の形態におけるシステムの構成を示す図１を参照すると、移動無線通信システムＳＹＳは、複数の無線基地局装置ｅＮＢ（evolved Node B）（＃１，＃２）と、ユーザ利用の無線端末である複数の移動局ＵＥ（User Equipment）（＃１１〜＃１４，＃２１〜＃２４）と、上位の有線ネットワークであるコアネットワークＣＮ（Core Network）とを備えている。
【００１５】
この移動無線通信システムＳＹＳにおいては、無線基地局装置ｅＮＢ（＃１，＃２）は、コアネットワークＣＮにＳ１インタフェースでそれぞれ接続されている。また、無線基地局装置ｅＮＢ（＃１，＃２）は、Ｘ２インタフェースで相互に接続されている。Ｓ１インタフェース及びＸ２インタフェースは、有線伝送路におけるインタフェースである。無線基地局装置ｅＮＢ（＃１，＃２）は、配下の複数の移動局ＵＥ（＃１１〜＃１４，＃２１〜＃２４）と所定の無線接続技術によってそれぞれ通信する。
【００１６】
各無線基地局装置ｅＮＢから各移動局ＵＥ方向の下りリンク（Down Link）信号は、直
交周波数分割多元接続（ＯＦＤＭＡ：Orthogonal Frequency Division Multiple Access
）信号であり、各移動局ＵＥから各無線基地局装置ｅＮＢ方向の上りリンク（Up Link）
信号は、シングルキャリア周波数分割多元接続（ＳＣ−ＦＤＭＡ：Single Carrier-Frequency Division Multiple Access）信号である。
【００１７】
［無線基地局装置］
図２は、図１に示した一実施の形態の移動無線通信システムＳＹＳにおける各無線基地局装置ｅＮＢの詳細構成を示す。
【００１８】
図２に示すように、無線基地局装置ｅＮＢは、下りリンク信号に対して処理を行う送信部１と、上りリンク信号に対して処理を行う受信部２と、通信対象の移動局ＵＥを選択するとともに、無線リソースの割り当てを管理（制御）するスケジューラ部３とを含んでいる。
【００１９】
例えば、ＬＴＥは、無線区間で送信する１２個の隣接サブキャリアを１つのグループとして扱い、リソースブロックＲＢ（Resource Block）と定義している。無線基地局装置ｅＮＢにおけるスケジューラ部３は、無線フレームを構成する１０個のサブフレーム毎に、配下の移動局ＵＥのそれぞれにリソースブロックＲＢ単位で割り当てるべき周波数帯域を決定する。図３に示す例では、リソースブロックＲＢ＃１，ＲＢ＃２が移動局ＵＥ＃ｉ（ｉは１以上の整数）に割り当てられ、リソースブロックＲＢ＃３，ＲＢ＃４，ＲＢ＃５が移動局ＵＥ＃ｉ＋１に割り当てられている。
【００２０】
送信部１は、スケジューラ部３で決定した通信対象の移動局ＵＥへの送信データ信号に対し、変調方式及び符号化率の組合せセット（変調フォーマット）に従って処理を行う。ここでは、送信部１は、マルチキャリア変調による直交周波数分割多重（ＯＦＤＭ：Orthogonal Frequency Division Multiplexing）信号を生成して送出する。
【００２１】
詳述すると、送信部１において、ＰＤＣＰ（Packet Data Convergence Protocol）処理部４は、有線伝送路から受信した送信データ信号としてのＰＤＣＰ  ＳＤＵ（Service Data Unit）をＰＤＣＰ  ＰＤＵ（Protocol Data Unit）に変換後、ＲＬＣ（Radio Link Control）処理部５に転送する。ＲＬＣ処理部５は、受信したデータ信号をＲＬＣ  ＳＤＵ
として扱い、ＲＬＣ  ＰＤＵに変換後、ＭＡＣ（Medium Access Control）処理部６に転
送する。ＭＡＣ処理部６は、受信したデータ信号をＭＡＣ  ＳＤＵとして扱い、ＭＡＣ  ＰＤＵに変換後、誤り訂正符号器７に転送する。
【００２２】
誤り訂正符号器７は、受信したデータ信号に誤り訂正符号化処理を施して符号化し、データ変調部８は、誤り訂正符号器７からの符号化されたデータ信号をデータ変調（例えば、ＱＰＳＫによるサブキャリア変調）する。データ・パイロット信号多重部９は、変調されたデータ信号と、受信局である移動局ＵＥにおいて既知のパイロット信号（リファレンス信号）とを時間多重する。
【００２３】
フーリエ逆変換（ＩＦＦＴ：Inverse Fast Fourier Transform）部１０は、一定数Ｎのサンプル単位でＩＦＦＴ演算によりＯＦＤＭ変調を行う。すなわち、Ｎ個のデータサンプルをサブキャリア信号成分とみなして、このサブキャリア成分にＩＦＦＴ演算処理を施し、離散的な時間信号に変換して出力する。
【００２４】
サイクリック・プリフィックス（ＣＰ：Cyclic Prefix）挿入部１１は、ＩＦＦＴ演算
処理後のＮサンプルのうち、後部のＭサンプル（ここで、Ｎ＞Ｍ）をコピーして、ＣＰとしてＮサンプルの先頭に挿入する。ＣＰは巡回的にコピーされているため、ＣＰ挿入後の
Ｍ＋Ｎサンプルの区間で信号が連続している。この特徴により、ＣＰは隣接パスからの遅延シンボルによる干渉を除去するという役割を果たす。
【００２５】
ディジタル／アナログ（Ｄ／Ａ）変換部１２は、ガードインターバル（ＧＩ）としてＣＰが付加されたディジタル信号を送信部１におけるＣＰ挿入部１１から入力され、アナログ信号に変換する。送信ＲＦ部（アナログ無線送信機）１３は、アナログ信号を無線周波数（ＲＦ）信号に変換した後、アンテナ１４から移動局ＵＥに向けて送信する。
【００２６】
受信部２は、スケジューラ部３で決定した移動局ＵＥから送信されてくる受信データ信号に対して処理を行う。例えば、ＬＴＥでは、上りリンク（ＵＬ）データ疎通のために、無線接続技術としてＳＣ−ＦＤＭＡを採用している。ＯＦＤＭ変調波は、ＰＡＰＲ（Peak
to Average Power Ratio）が大きいため、移動局ＵＥの送信アンプの効率が低下し、最
大送信電力が低下する、または消費電力が増大することを免れない。この問題はＳＣ−ＦＤＭＡの採用により回避される。
【００２７】
詳述すると、アンテナ１４で受信したシングルキャリア変調による周波数分割多重（ＳＣ−ＦＤＭ：Single-Carrier Frequency Division Multiplexing）のＲＦ信号は受信ＲＦ部（アナログ無線受信機）１６でアナログ信号に変換された後、アナログ／ディジタル（Ａ／Ｄ）変換部１７でディジタル信号に変換される。
【００２８】
Ａ／Ｄ変換部１７によりディジタル変換された信号は、受信部２におけるＣＰ除去部１８、フーリエ変換（ＦＦＴ：Fast Fourier Transform）部１９、データ・パイロット信号分離部２０、データ復調部２１、フーリエ逆変換（ＩＤＦＴ：Inverse Discrete Fourier
Transform）部２２、及び誤り訂正復号部２３をそれぞれ経て、ＳＣ−ＦＤＭ復調及びデータ復調される。
【００２９】
このデータ復調処理においては、データ信号に多重されているパイロット信号が、データ・パイロット信号分離部２０によって分離された後、パイロット信号復調部２４で復調処理される。そして、このパイロット信号の復調結果を基にして、データ復調部２１でデータ信号が復調処理される。
【００３０】
復調されたデータ信号は、誤り訂正復号部２３からＭＡＣ処理部２５に転送される。ＭＡＣ処理部２５は、受信したデータ信号をＭＡＣ  ＰＤＵとして扱い、ＭＡＣ  ＳＤＵに変換した後、ＲＬＣ処理部２６に転送する。ＲＬＣ処理部２６は、受信したデータ信号をＲＬＣ  ＰＤＵとして扱い、ＲＬＣ  ＳＤＵに変換した後、ＰＤＣＰ処理部２７に転送する。ＰＤＣＰ処理部２７は、受信したデータ信号をＰＤＣＰ  ＰＤＵとして扱い、ＰＤＣＰ  ＳＤＵに変換した後、有線伝送路でデータ転送を行う。
【００３１】
無線基地局装置ｅＮＢの全体動作を統括制御する制御部に含まれるスケジューラ部３は、下りリンク信号に対する送信処理を行う送信部１及び上りリンク信号に対する受信処理を行う受信部２に制御情報を送出するとともに、受信部２におけるデータ復調部２１及び誤り訂正復号部２３から受信処理結果としての下りリンク受信状態情報（チャネル品質指標（ＣＱＩ：Channel Quality Indicator）及び肯定応答／否定応答信号（ＡＣＫ／ＮＡ
ＣＫ））を入力されることにより、通信対象の移動局ＵＥを選択するとともに、無線リソースの割り当てなどを制御する。スケジューラ部３による上りリンク無線リソースの割り当て処理については、後に詳述する。
【００３２】
［移動局］
図４は、図１に示した一実施の形態の移動無線通信システムＳＹＳにおける各移動局ＵＥの詳細構成を示す。
【００３３】
図４に示すように、無線基地局装置ｅＮＢより送信されたＯＦＤＭ変調のアナログＲＦ信号は、アンテナ４０で受信され、受信ＲＦ部（アナログ無線受信機）４１でアナログ信号に変換される。そして、このアナログ信号はＡ／Ｄ変換部４２でディジタル信号に変換される。
【００３４】
ディジタル変換された信号は、受信部４３に渡されてＯＦＤＭ復調を含むベースバンド処理が実施される。受信部４３でのデータ復調及びデータ復号の結果は制御部４４に受け渡される。制御部４４は、受信した各種制御情報に応じて、送信部４５に対して送信処理を指示する。
【００３５】
制御部４４から指示されたタイミングにおいて、送信部４５においてＳＣ−ＦＤＭ変調されたデータ信号及び各種制御情報は、Ｄ／Ａ変換部４６でアナログ信号に変換される。そして、アナログ信号は、送信ＲＦ部（アナログ無線送信機）４７にてアナログＲＦ信号に変換され、アンテナ４０を通じて無線基地局装置ｅＮＢに送信される。
【００３６】
無線端末ＵＥの全体動作を制御する制御部４４は、送信部４５中の送信バッファ（図示省略）に格納されているデータについての滞留量を判定し、データ滞留量を通知するためのバッファ状態報告信号ＢＳＲ（Buffer Status Report）を生成する。また、制御部４４は、スケジューリング要求信号（ＳＲ：Scheduling Request）及び下りリンク受信状態情報を生成する。
【００３７】
［上りリンク無線リソース割り当て処理］
次に、図１に示す一実施の形態の移動無線通信システムＳＹＳに適用することができる無線基地局装置ｅＮＢにおける上りリンク無線リソース割り当て処理例について関連図を併せ参照して説明する。
【００３８】
無線基地局装置ｅＮＢは、移動局ＵＥとの間で上りリンクデータ通信を疎通させるために、移動局ＵＥから送信されるスケジューリング要求信号ＳＲ（Scheduling Request）の受信をトリガ（契機）に、ユーザデータを送信するための上りリンク（ＵＬ）無線リソースを決定し、決定内容を移動局ＵＥに通知する手法を採ることができる。
【００３９】
ここで、ＵＬ無線リソースは、当該移動局ＵＥに対し上りリンク共有チャネル（ＰＵＳＣＨ：Physical Uplink Shared Channel）による信号送信用に割り当てたＲＢ数と、変調方式及び符号化率の組合せのセット（変調フォーマット）であるＭＣＳ（Modulation and
Coding Scheme）とから決定されるトランスポートブロックサイズ（ＴＢＳ：Transport Block Size）相当と定義する。具体的には、例えばＲＢ数＝２０及びＭＣＳ＝６の場合、ＴＢＳ＝２６１ｂｙｔｅがＵＬ無線リソース量となる。
【００４０】
無線基地局装置ｅＮＢが、移動局ＵＥから送信されるスケジューリング要求信号ＳＲの受信をトリガに、ユーザデータを送信するためのＵＬ無線リソースを決定・通知する上記手法を採る場合、無線基地局装置ｅＮＢと移動局ＵＥとの間では、図５に示すシーケンスで処理を行う。
【００４１】
処理１：移動局ＵＥは、ＵＬデータ送信要求としてスケジューリング要求信号ＳＲを無線基地局装置ｅＮＢに上りリンク制御チャネル（ＰＵＣＣＨ：Physical Uplink Control Channel）で送信する。ここでは、移動局ＵＥは、スケジューリング要求信号ＳＲを送信
するためのＵＬ無線リソースとしてのＰＵＣＣＨを既存技術に基づいて予め割り当てられているものとする。
【００４２】
処理２：スケジューリング要求信号ＳＲを受信した無線基地局装置ｅＮＢは、スケジューラ部３で当該移動局ＵＥに対して使用可能なＵＬ無線リソース（周波数−時間リソース）としてのＰＵＳＣＨを選択・決定し、決定した無線リソース割当情報（UL Allocation Grant）を下りリンク制御チャネル（ＰＤＣＣＨ：Physical Downlink Control Channel）で通知する。
【００４３】
処理３：ＰＤＣＣＨで無線リソース割当情報を受信した移動局ＵＥは、通知内容に応じたＵＬ無線リソースとしてのＰＵＳＣＨで信号を送信する。ここで、ＰＵＳＣＨで送信される信号には、ユーザデータの他に、制御情報として移動局ＵＥの送信バッファのデータ滞留量を通知するためのバッファ状態報告信号ＢＳＲ（Buffer Status Report）が含まれている。
【００４４】
処理４：割り当てたＰＵＳＣＨでユーザデータ及びバッファ状態報告信号ＢＳＲを移動局ＵＥから受信した無線基地局装置ｅＮＢは、バッファ状態報告信号ＢＳＲの内容がＢＳＲ≠０であることを参照し、次に割り当てるべきＵＬ無線リソース量を確定することが可能である。この結果に基づいて、無線基地局装置ｅＮＢは、ＰＤＣＣＨにより、無線リソース割当情報を再度送信する。このＰＤＣＣＨによる無線リソース割当情報の送信は、移動局ＵＥに対しＵＬ無線リソースを停止すると判断するまで毎サブフレーム継続される。
【００４５】
処理５：無線基地局装置ｅＮＢは、上記処理４の後、移動局ＵＥに対して割り当てているＵＬ無線リソースを停止する条件として、移動局ＵＥから送信されるバッファ状態報告信号ＢＳＲの内容がＢＳＲ＝０、つまりデータ滞留量がないことを認識したときに停止する手法を採ることができる。
【００４６】
移動局ＵＥは、無線基地局装置ｅＮＢからＰＤＣＣＨによりＵＬ無線リソースを割り当てるための無線リソース割当情報を受信したが、送信すべきユーザデータが送信バッファに存在しない場合は、ＰＵＳＣＨ＃ｉ＋３でバッファ状態報告信号ＢＳＲとして、ＢＳＲ＝０＋パディングデータを送信する。
【００４７】
処理６：無線基地局装置ｅＮＢは、バッファ状態報告信号ＢＳＲ（ＢＳＲ＝０）を受信したときは、当該移動局ＵＥに対するＵＬ無線リソースの割り当てを停止する。
【００４８】
この停止手法によると、上記処理５において、移動局ＵＥがバッファ状態報告信号ＢＳＲ（ＢＳＲ＝０）を送信し、上記処理６において、無線基地局装置ｅＮＢがＵＬ無線リソースの割り当てを停止するまでに、タイムラグが生じる。また、無線基地局装置ｅＮＢにおける内部処理遅延を考慮すると、このタイムラグは一層増加することを免れない。この結果、割り当てたＵＬ無線リソースのＰＵＳＣＨ＃ｉ＋４〜＃ｉ＋１０は本来不要なものとなり、多数の移動局ＵＥが存在する実際の無線通信環境においては、ＵＬ無線リソースの利用効率を向上できないことがある。
【００４９】
このため、無線基地局装置ｅＮＢのスケジューラ部３においては、次のようなＵＬ無線リソース割り当て処理（スケジューリング処理）を実施する。
【００５０】
まず、図５中の処理４において、当該移動局ＵＥに割り当てるべきＵＬ無線リソース量を決定する際には、次の処理を実施する。図６は、割り当てるべきＵＬ無線リソース量決定処理のフローチャートであり、図７は、本処理におけるＵＬ無線リソース量割り当ての概念図である。
【００５１】
処理１００：上記処理４に対応する処理タイミングにおいて、移動局ＵＥからバッファ状態報告信号ＢＳＲを受信したか否かを判定する。受信していれば、処理１０１に移行し
、受信していなければ、処理１０２に移行する。
【００５２】
処理１０１：受信したバッファ状態報告信号ＢＳＲに基づいて、スケジューラ部３で管理している当該移動局ＵＥのＵＬデータ滞留量を更新する。
【００５３】
具体的には、例えばバッファ状態報告信号ＢＳＲで通知されたバッファサイズのインデックス値が「３１」である場合、取り得る最大値１，１３２ｂｙｔｅをＵＬデータ滞留量として更新する。スケジューラ部３で管理している当該移動局ＵＥのＵＬデータ滞留量は、図７中のサブフレーム（ｓｕｂｆｒａｍｅ）＃ｘでのＵＬデータ滞留量に相当する。
【００５４】
処理１０２：当該移動局ＵＥに対して割り当てるＵＬ無線リソース量を算出する。具体的には、例えばＲＢ数＝２４及びＩ＿ＭＣＳ＝１６を割り当てた場合、９０３ｂｙｔｅをＵＬ無線リソース量として算出する。これは、図７中のサブフレーム＃ｘでのＵＬ無線リソース量に相当する。
【００５５】
処理１０３：処理１０１で更新したＵＬデータ滞留量から、処理１０２で算出したＵＬ無線リソース量で送信され得るデータ量を減算し、次のサブフレーム以降の処理タイミングにおけるＵＬデータ滞留量として更新する。
【００５６】
この更新処理は、ＵＬ無線リソース量を通知したＰＤＣＣＨに対するＰＵＳＣＨでの送達確認を待たずして実行することにより、ＵＬ無線リソースの有効活用を一層図ることが可能になる。例えば、図７中のサブフレーム＃ｘにおいて、ＵＬデータ滞留量＝１，１３２ｂｙｔｅ及びＵＬ無線リソース量＝９０３ｂｙｔｅの場合、次のサブフレーム＃ｘ＋１におけるＵＬデータ滞留量は、１，１３２ｂｙｔｅ−９０３ｂｙｔｅ＝２２９ｂｙｔｅとして処理する。
【００５７】
処理１０４：処理１０３で算出したＵＬデータ滞留量が「０」以下かを判定する。「０」以下であれば、処理１０５に移行し、「０」より大きければ、処理１０８に移行する。
【００５８】
処理１０５：ＵＬデータ滞留量が「０」以下であるときは、当該移動局ＵＥを更に次のサブフレーム以降はＵＬ無線リソース量の割り当て対象外とする。本処理は、ＵＬデータ滞留量分のＵＬ無線リソース量を一旦割り当て完了し、不要なＵＬ無線リソース量の使用を防止する。
【００５９】
処理１０６：当該サブフレームにおいて割り当てたＵＬ無線リソース量でユーザデータと同時にバッファ状態報告信号ＢＳＲが多重送信可能か判定する。
【００６０】
具体的には、例えばバッファ状態報告信号ＢＳＲとしてｓｈｏｒｔＢＳＲを送信する際、ＭＡＣ  サブヘッダ（１ｂｙｔｅ）＋ＭＡＣ  コントロールエレメントサイズ（１ｂｙｔｅ）＝２ｂｙｔｅが必要になる。ＵＬデータ滞留量＝２２９ｂｙｔｅの状態で、ＵＬ無線リソース量＝２５６ｂｙｔｅであれば、ｓｈｏｒｔＢＳＲは多重送信可能と判断できる。ＢＳＲ多重送信可能であれば、処理１０８に移行し、ＢＳＲ多重送信不可であれば、処理１０７に移行する。
【００６１】
処理１０７：ＢＳＲ多重送信不可のときは、ＢＳＲが多重送信可能となるように、ＵＬ無線リソース量を補正する。この補正処理により、意図的にＢＳＲが多重送信されてくる環境とする。
【００６２】
例えば、図７中のサブフレーム＃ｘ＋１において、ＵＬデータ滞留量＝２５６ｂｙｔｅ及びＵＬ無線リソース量＝２５６ｂｙｔｅの場合、ｓｈｏｒｔＢＳＲのサイズ分を足し込
んだ量にＵＬ無線リソース量を補正する。ここで、ｓｈｏｒｔＢＳＲのサイズ分は、図７中のサブフレーム＃ｘ＋１におけるＵＬ無線リソース量のＲＳ１部分に相当する。この補正ためには、ＲＢ数またはＩ＿ＭＣＳの増加で対応する。
【００６３】
処理１０８：そして、決定したＵＬ無線リソース量をＰＤＣＣＨで移動局ＵＥに通知する。
【００６４】
続いて、無線基地局装置ｅＮＢのスケジューラ部３は、図６中の処理１０４から処理１０７を通過して処理１０８で通知したＰＤＣＣＨに対するＰＵＳＣＨの受信タイミングにおいて、図８に示す処理を実施する。
【００６５】
処理１０９：先ず、ＰＵＳＣＨによりバッファ状態報告信号ＢＳＲが未受信か判定する。ＢＳＲ未受信状態の場合は、処理１１０へ移行し、ＢＳＲ受信状態の場合は、処理１１２へ移行する。
【００６６】
処理１１０：ＢＳＲ未受信状態ということは、移動局ＵＥ内に送信すべきユーザデータが未だ滞留していることを意味するため、継続してＵＬ無線リソースを割り当てる必要がある。このため、スケジューラ部３は疑似的なＵＬデータ滞留量を算出する。
【００６７】
この疑似的なＵＬデータ滞留量は、当該移動局ＵＥの平均データレート（ＡＤＲ：Average Data Rate）、直近で受信したＢＳＲ値、及び無線基地局装置ｅＮＢ配下の他の移動
局数を加味して決定することが可能である。具体的には、次のとおりである。
【００６８】
（ａ）ＡＤＲ＝１００ｂｙｔｅ／ＴＴＩ（Transmission Time Interval）とした場合、プライオリティクラス（Priority Class）等に応じた係数ＣＡを乗じた値１００×ＣＡｂｙｔｅをＵＬデータ滞留量として更新する。
【００６９】
（ｂ）直近で受信したＢＳＲにより通知されたバッファサイズのインデックス値相当のデータサイズ、例えば１，１３２ｂｙｔｅにプライオリティクラス等に応じた係数ＣＢを乗じた値１，１３２×ＣＢｂｙｔｅをＵＬデータ滞留量として更新する。
【００７０】
（ｃ）上記（ａ），（ｂ）のＵＬデータ滞留量を比較し、サイズが小さい方をＵＬデータ滞留量として更新する。
【００７１】
処理１１１：処理１１０で算出した疑似ＵＬデータ滞留量を基に、図６中の処理１０２から実施する。
【００７２】
処理１１２：ＢＳＲ受信状態であるときは、受信したＢＳＲの値が「０」以外か判定する。「０」以外であれば、処理１１３へ移行し、「０」であれば、処理１１４へ移行する。
【００７３】
処理１１３：受信したＢＳＲを用いて、図６中の処理１０１から実施する。
【００７４】
処理１１４：当該移動局ＵＥには、送信すべきユーザデータが滞留していないため、ＵＬ無線リソースの再割り当ては無しとする。
【００７５】
［変形例］
上述した一実施の形態における処理はコンピュータで実行可能なプログラムとして提供され、ＣＤ−ＲＯＭやフレキシブルディスクなどの記録媒体、さらには通信回線を経て提供可能である。
【００７６】
また、上述した一実施の形態における各処理はその任意の複数または全てを選択し組合せて実施することもできる。
【００７７】
［その他］
上述した一実施の形態に関し、更に以下の付記を開示する。
【００７８】
（付記１）
無線基地局装置における無線リソース割り当て方法であって；
移動局の送信バッファにおけるデータ滞留量を通知するための報告信号を受信したとき、前記受信した報告信号に基づいて、管理対象のデータ滞留量を更新し；
前記更新したデータ滞留量と前記移動局に割り当て予定の上りリンク送信のための無線リソース量とに基づいて次回以降のデータ滞留量を推定し；
前記推定したデータ滞留量に基づいて前記移動局からの上りリンク送信を行うために割り当てるための無線リソース量を決定して通知する；
無線リソース割り当て方法。
【００７９】
（付記２）
前記推定したデータ滞留量がゼロであると判定したとき、前記移動局に対する無線リソース量の割り当てを停止する
付記１記載の無線リソース割り当て方法。
【００８０】
（付記３）
前記移動局に対する無線リソース量の割り当てを停止した後、前記報告信号とユーザデータとの多重送信が不可能であると判定したときは、前記報告信号が多重送信可能となるように、割り当てる無線リソース量を補正して通知する
付記２記載の無線リソース割り当て方法。
【００８１】
（付記４）
前記通知した補正後の無線リソース量において、前記報告信号を受信しないときは、疑似的なデータ滞留量を算出し、前記移動局に対する無線リソース量の割り当て処理を継続する
付記３記載の無線リソース割り当て方法。
【００８２】
（付記５）
上りリンク無線リソースの割り当てを行う無線基地局装置であって；
移動局の送信バッファにおけるデータ滞留量を通知するための報告信号を受信したとき、前記受信した報告信号に基づいて、管理対象のデータ滞留量を更新し；
前記更新したデータ滞留量と前記移動局に割り当て予定の上りリンク送信のための無線リソース量とに基づいて次回以降のデータ滞留量を推定し；
前記推定したデータ滞留量に基づいて前記移動局からの上りリンク送信を行うために割り当てるための無線リソース量を決定して通知する；
スケジューラを備える無線基地局装置。
【００８３】
（付記６）
前記スケジューラは、
前記推定したデータ滞留量がゼロであると判定したとき、前記移動局に対する無線リソース量の割り当てを停止する
付記５記載の無線基地局装置。
【００８４】
（付記７）
前記スケジューラは、
前記移動局に対する無線リソース量の割り当てを停止した後、前記報告信号とユーザデータとの多重送信が不可能であると判定したときは、前記報告信号が多重送信可能となるように、割り当てる無線リソース量を補正して通知する
付記６記載の無線基地局装置。
【００８５】
（付記８）
前記スケジューラは、
前記通知した補正後の無線リソース量において、前記報告信号を受信しないときは、疑似的なデータ滞留量を算出し、前記移動局に対する無線リソース量の割り当て処理を継続する
付記７記載の無線基地局装置。
【符号の説明】
【００８６】
ＳＹＳ  移動無線通信システム
ｅＮＢ  無線基地局装置
ＵＥ    移動局
【図１】
2011239284.tif 000003
【図２】
2011239284.tif 000004
【図３】
2011239284.tif 000005
【図４】
2011239284.tif 000006
【図５】
2011239284.tif 000007
【図６】
2011239284.tif 000008
【図７】
2011239284.tif 000009
【図８】
2011239284.tif 000010